(57)【要約】【課題】少なくとも前面のスイッチ配置部を隠蔽することができるリモコンを提供する。【解決手段】リモコン１０の液晶表示画面１２の下辺に沿う領域がスイッチ配置部であり、スイッチ２１〜２６が設けられている。これらのスイッチ２１〜２６を隠蔽したり露呈させたりするためのカバー１３が設けられている。リモコン上面のスイッチ３０を押すとカバー１３が上下動する。非使用時にスイッチ２１〜２６をカバー１３で隠蔽することができ、美観を良好なものとすることができる【選択図】図２
2009174253.tif 000002
【特許請求の範囲】
【請求項１】
トイレ機器を操作するためのリモコンであって、複数個のスイッチが配置されたスイッチ配置部を前面に有するリモコンにおいて、
少なくとも該スイッチ配置部を全て隠蔽する待機状態と、該スイッチ配置部を露呈させる使用状態とに切り替え可能とされていることを特徴とするリモコン。
【請求項２】
請求項１において、スライド可能なスライドカバーを備えており、
該スライドカバーがスライドして位置を変えることにより前記待機状態と使用状態とが切り替えられることを特徴とするリモコン。
【請求項３】
請求項１において、該スイッチ配置部を隠蔽して前記待機状態とする隠蔽状態と、該スイッチ配置部を露呈させて前記使用状態とする露呈状態とをとりうるように移動可能なカバーを有しており、
該カバーが電動装置によって移動されるよう構成されていることを特徴とするリモコン。
【請求項４】
請求項１において、前記リモコンは、リモコン収納部に収納可能とされており、
該リモコン収納部に収納されることにより前記待機状態をとり、該リモコン収納部から突出することにより前記使用状態をとるものであり、
電動装置によって突出及び収納が行われるよう構成されていることを特徴とするリモコン。
【請求項５】
請求項４において、前記リモコン収納部はトイレルームのペーパーホルダ、棚、キャビネット又はカウンターに設けられていることを特徴とするリモコン。
【請求項６】
請求項４又は５において、前記リモコンは、リモコン収納部から略水平に突出した後、起立方向に回動することにより前記使用状態をとるように構成されていることを特徴とするリモコン。
【請求項７】
請求項２ないし６のいずれか１項において、前記電動装置を操作するためのスイッチが設けられていることを特徴とするリモコン。
【請求項８】
請求項１ないし７のいずれか１項において、前記リモコンは人体検知手段を有しており、
該人体検知手段が人体検知のときに前記使用状態となり、非検知のときに前記待機状態となることを特徴とするリモコン。
【請求項９】
請求項１ないし７のいずれか１項において、前記リモコンは、トイレ機器に設けられた人体検知手段からの人体検知信号を受信するものであって、
人体検知手段が人体検知のときに前記使用状態となり、非検知のときに前記待機状態となることを特徴とするリモコン。
【請求項１０】
請求項９において、前記人体検知手段は便座への着座検知手段であり、着座が検知されると前記使用状態となることを特徴とするリモコン。
【発明の詳細な説明】
【技術分野】
【０００１】
本発明は、トイレ機器を操作するためのリモコンに関する。
【背景技術】
【０００２】
温水洗浄装置などのトイレ機器を操作するためのリモコンは、通常はトイレルームの壁に取り付けられる。このリモコンの前面にスイッチが設けられている。
【０００３】
なお、リモコン前面にカバーを設け、使用頻度の少ないスイッチをカバーで隠蔽し、使用頻度の高いスイッチをカバーの前面に設けることは周知である（例えば特許文献１）。
【特許文献１】特開２００２−２７５７８号
【発明の開示】
【発明が解決しようとする課題】
【０００４】
従来のリモコンは、前面にスイッチが露呈しており、トイレルームの外観上の美観を損なうことがあった。
【０００５】
本発明は、少なくとも前面のスイッチ配置部を隠蔽することができるリモコンを提供することを目的とする。
【課題を解決するための手段】
【０００６】
請求項１のリモコンは、トイレ機器を操作するためのリモコンであって、複数個のスイッチが配置されたスイッチ配置部を前面に有するリモコンにおいて、少なくとも該スイッチ配置部を全て隠蔽する待機状態と、該スイッチ配置部を露呈させる使用状態とに切り替え可能とされていることを特徴とするものである。
【０００７】
請求項２のリモコンは、請求項１において、スライド可能なスライドカバーを備えており、該スライドカバーがスライドして位置を変えることにより前記待機状態と使用状態とが切り替えられることを特徴とするものである。
【０００８】
請求項３のリモコンは、請求項１において、該スイッチ配置部を隠蔽して前記待機状態とする隠蔽状態と、該スイッチ配置部を露呈させて前記使用状態とする露呈状態とをとりうるように移動可能なカバーを有しており、該カバーが電動装置によって移動されるよう構成されていることを特徴とするものである。
【０００９】
請求項４のリモコンは、請求項１において、前記リモコンは、リモコン収納部に収納可能とされており、該リモコン収納部に収納されることにより前記待機状態をとり、該リモコン収納部から突出することにより前記使用状態をとるものであり、電動装置によって突出及び収納が行われるよう構成されていることを特徴とするものである。
【００１０】
請求項５のリモコンは、請求項４において、前記リモコン収納部はトイレルームのペーパーホルダ、棚、キャビネット又はカウンターに設けられていることを特徴とするものである。
【００１１】
請求項６のリモコンは、請求項４又は５において、前記リモコンは、リモコン収納部から略水平に突出した後、起立方向に回動することにより前記使用状態をとるように構成されていることを特徴とするものである。
【００１２】
請求項７のリモコンは、請求項２ないし６のいずれか１項において、前記電動装置を操作するためのスイッチが設けられていることを特徴とするものである。
【００１３】
請求項８のリモコンは、請求項１ないし７のいずれか１項において、前記リモコンは人体検知手段を有しており、該人体検知手段が人体検知のときに前記使用状態となり、非検知のときに前記待機状態となることを特徴とするものである。
【００１４】
請求項９のリモコンは、請求項１ないし７のいずれか１項において、前記リモコンは、トイレ機器に設けられた人体検知手段からの人体検知信号を受信するものであって、人体検知手段が人体検知のときに前記使用状態となり、非検知のときに前記待機状態となることを特徴とするものである。
【００１５】
請求項１０のリモコンは、請求項９において、前記人体検知手段は便座への着座検知手段であり、着座が検知されると前記使用状態となることを特徴とするものである。
【発明の効果】
【００１６】
本発明（請求項１）のリモコンは、待機状態と使用状態とが切り替えられるよう構成されている。この待機状態にあっては、リモコン前面の少なくともスイッチ配置部が隠蔽されるため、トイレルームの美観が向上する。
なお、この待機状態と使用状態との切り替えは電動装置によって行われるように構成してもよく、この場合、スイッチによってあるいは人体検知センサによって容易もしくは自動的に行うことができる。
【００１７】
請求項２のリモコンによると、スイッチ配置部がスライドカバーによって隠蔽されることにより、美観が向上する。
【００１８】
請求項３のリモコンによると、スイッチ配置部がカバーによって隠蔽されることにより、美観が向上する。なお、このカバーが電動装置によって移動される。
【００１９】
請求項４のリモコンによると、リモコンがリモコン収納部に収納されることにより、スイッチ配置部が隠蔽され、非使用時は突出せず、美観が向上する。なお、リモコン収納部からの突出及び収納は電動装置によって行われる。
【００２０】
請求項５によると、リモコン収納部がトイレルームの棚、ペーパーホルダ、キャビネット又はカウンターに設けられており、リモコン収納部が目立たないものとなり、美観が向上する。また、他の機器との一体化を図ることができる。
【００２１】
請求項６のように、リモコンがリモコン収納部から前方へ略水平に突出した後、起立回動して使用状態をとるよう構成した場合、リモコンが使用者（例えば、便座に着座した人）に近づいてリモコン前面が使用者に向いた状態となるので、リモコンのスイッチ配置部や表示画面などが視認し易くなると共に、スイッチ操作も楽になる。
【００２２】
請求項７のように、電動装置がスイッチによって操作されるように構成した場合には、使用者が任意に使用状態と待機状態とを切り替えることができる。請求項８，８のように、電動装置が人体検知に基づいて動作するよう構成した場合、トイレ使用時に自動的に動作するので、使用者による操作を不要とすることができる。
【００２３】
請求項１０のように着座するとリモコンが使用状態となるように構成すると、着座するまではリモコンは収納状態となっているため、着座時にリモコンが邪魔にならない。
【発明を実施するための最良の形態】
【００２４】
以下、図面を参照して実施の形態について説明する。第１図は実施の形態に係るリモコンを備えたトイレルームの斜視図である。第２図はリモコンの斜視図であり、（ａ）は待機状態を示し、（ｂ）は使用状態を示している。第３図はカバーの駆動機構図、第４図は第３図のIV−IV線断面図である。
【００２５】
洋風便器１の後部上面に便座ボックス２が設置されており、この便座ボックス２に便座３及び便蓋４が起倒方向回動自在に取り付けられている。
【００２６】
この便座ボックス２には、人体臀部洗浄用の洗浄ノズル５、臀部乾燥用温風ファン６のほか着座者を検知する着座センサ等が設置されている。着座センサとしては、赤外線センサ、超音波センサなど各種のものを用いることができる。なお、この着座センサは便座３に設置されてもよく、この場合、便座静電容量センサ、荷重センサなどを用いることができる。
【００２７】
図示は省略するが、この便座ボックス２内には、前記洗浄ノズル５を前後進させるためのノズル用モータ、洗浄ノズル５に供給される水を加熱するための水加熱用ヒータ、洗浄ノズル５への温水の給水及び給水停止を行う電磁弁等のノズル用電動給水手段、止水栓から便器１へフラッシュ水の給水及び給水停止を行うフラッシュ水用電磁弁のほか、これらを制御する制御回路が設けられている。
【００２８】
トイレルームの壁面にリモコン１０が取り付けられている。
【００２９】
このリモコン１０の外殻を構成する略長方形箱状のケーシング１１の前面上部に液晶表示画面１２が設けられている。この液晶表示画面１２の下辺に沿う領域がスイッチ配置部であり、スイッチ２１〜２６が設けられている。これらのスイッチ２１〜２６を隠蔽したり露呈させたりするためのカバー１３が設けられている。
【００３０】
なお、この実施の形態では、スイッチとして臀部洗浄スイッチ２１、臀部乾燥スイッチ２２、ストップスイッチ２３、洗浄位置調節スイッチ２４、洗浄強さ調節スイッチ２５、温水又は温風の温度調節スイッチ２６が設けられているが、スイッチはこれに限定されるものではない。
【００３１】
ケーシング１１の上面にはフラッシュスイッチ２７、便座３を開閉させるための便座スイッチ２８、便蓋４を開閉させるための便蓋スイッチ２９、カバー１３の開閉スイッチ３０が設けられている。
【００３２】
前記カバー１３は、ケーシング１１の前面に沿って上下にスライド可能に設置されている。カバー１３は、ケーシング１１の前面の左端から右端まで延在している。カバー１３の左端及び右端には、ケーシング１１の左右の側面に回り込むように腕部１３ａが後方へ突設されている。各腕部１３ａからは、スリット１４を通ってケーシング１１内へ入り込む突片部１３ｂ（第４図）が突設されている。
【００３３】
スリット１４は、ケーシング１１の左右側面に上下方向に延設されている。
【００３４】
カバー１３を上下させるための電動装置の構成について第３，４図を参照して次に説明する。
【００３５】
ケーシング１１内の下部にモータ３１が設置され、該モータ３１の回転軸と一体の動力軸３２がケーシング１１内の下部を左右方向に延在している。動力軸３２の両端に笠歯ギヤ３３，３３が固着されている。各笠歯ギヤ３３，３３が噛合する笠歯ギヤ３４，３４に対しスクリュ軸３５，３５が連結されている。スクリュ軸３５，３５はケーシング１１内の左右両サイド部を上下方向に延在している。このスクリュ軸３５，３５にナット３６，３６が螺合している。前記カバー１３の突片部１３ｂ，１３ｂの先端にそれぞれナット３６が固着されている。モータ３１が正転すると、スクリュ軸３５，３５が正回転し、ナット３６，３６が上昇し、カバー１３が上昇する。モータ３１が逆転すると、カバー１３が下降する。
【００３６】
なお、第２図（ａ）の状態でスイッチ３０を押すと、カバー１３が下降して第２図（ｂ）の状態となり、第２図（ｂ）の状態でスイッチ３０を押すと、カバー１３が上昇して第２図（ａ）の状態となる。
【００３７】
このように構成されたリモコン１０は、第２図（ａ）のように非使用時にスイッチ２１〜２６をカバー１３で隠蔽することができ、美観を良好なものとすることができる。
【００３８】
また、スイッチ２１〜２６を操作する時には、スイッチ３０を押すだけで、第２図（ｂ）の使用状態とすることができる。
【００３９】
上記実施の形態では、リモコン１０のスイッチ３０を操作してカバー１３を上下動させるようにしているが、リモコン１０に人体検知センサを設け、トイレルーム内に人体が検知されると直ちに又は所定時間（例えば１〜５秒程度）経過してからカバー１３を下降させ、人体が検知されなくなると、カバー１３を上昇させるようにしてもよい。
【００４０】
また、便座ボックス２に設けられた人体検知センサの信号をリモコン１０に送信し、同様の制御を行ってもよい。
【００４１】
また、着座センサの信号をリモコン１０に送信し、着座が検知されるとカバー１３を下降させ、着座が検知されなくなるとカバー１３を上昇させるようにしてもよい。
【００４２】
なお、カバー１３がスイッチ２１〜２６を隠蔽していても、フラッシュスイッチ２７、便座スイッチ２８、便蓋スイッチ２９、カバー開閉スイッチ３０は、リモコン１０の上面に常に露呈しているので、カバーの開閉状態にかかわらずフラッシュ操作、便座３や便蓋４の電動開閉及びカバー１３の開閉を行うことができる。
この実施の形態では、カバー１３は、リモコン１０の前面より小さい大きさとなっているが、本発明では、リモコンの前面の全体を覆う大きさ、形状のカバーを用いてもよい。
カバーは手動にて移動するよう構成されてもよい。
【００４３】
第５〜７図は、別の実施の形態に係るリモコンが設置されたトイレルームの棚の縦断面図、第８図（ａ）はこのリモコンの側面図、第８図（ｂ）はこのリモコンの下面図（第８図（ａ）のＢ−Ｂ線矢視図）、第９図（ａ）は棚のリモコン収納部付近の正面図、第９図（ｂ）は第９図（ａ）のＢ−Ｂ線断面図、第１０図はリモコンの前方突出途中時の第９図（ｂ）と同様部分の断面図、第１１〜１３図はリモコン起立回動機構の作動を示す断面図である。
【００４４】
なお、第５図はリモコンがリモコン収納部に収納された待機状態を示し、第６図はリモコンがリモコン収納部から前方へ水平に突出した状態を示し、第７図はリモコンが前方へ突出した後、起立回動した使用状態を示している。第１１〜１３図において、リモコン及び棚は、それぞれ第８図（ｂ）及び第９図（ｂ）のXI−XI線断面にて図示されている。第１１図はリモコンの起立回動前の状態を示し、第１２図は起立回動途中時を示し、第１３図は起立回動後の状態を示している。
【００４５】
以下の説明において、左右方向とは、棚が設置された壁面に沿う方向をいい、前後方向とは、この壁面の法線方向をいう。
【００４６】
トイレルームの壁面Ｗに略水平に棚４０が設置されている。この実施の形態では、この棚４０にリモコン収納部５０が設けられ、リモコン６０がこのリモコン収納部５０に収納可能に設置されている。棚４０の下側にはトイレットペーパーホルダ４１が設置されているが、トイレットペーパーホルダ４１の配置はこれに限定されない。
【００４７】
リモコン収納部５０は、この実施の形態では、第９図（ａ），（ｂ）に示すように、棚４０の厚み方向の中間付近に形成された、該棚４０の板面と略平行方向に延在するスロット状の空所よりなる。このリモコン収納部５０は、棚４０の壁面Ｗと反対側の端面に開放しており、この開放口がリモコン６０の出入口５１となっている。リモコン６０は、この出入口５１から進退可能にリモコン収納部５０内に配置されている。
【００４８】
第９図（ａ），（ｂ）の通り、このリモコン収納部５０の左右の側面には、それぞれ、リモコン６０の前後方向の移動を案内するための凸条５２が設けられている。各凸条５２は、棚４０の板面と略平行に、リモコン収納部５０の各側面の後端から前端付近まで延設されている。
【００４９】
このリモコン収納部５０の底面に沿って１対のリモコン進退用ラック５３とリモコン回動用ラック５４とがそれぞれ略前後方向に延設されている。
【００５０】
第９図（ｂ）の通り、リモコン進退用ラック５３同士は左右に間隔をおいて配置され、それぞれリモコン収納部５０の底面の後端から前端付近まで延在している。リモコン回動用ラック５４は、リモコン収納部５０の底面の前端側（出入口５１付近）の左右方向の中間付近に配置されている。このリモコン回動用ラック５４は、リモコン進退用ラック５３よりも長さが短いものとなっており、リモコン収納部５０の底面の後端から前端側に所定距離離隔して配置されている。
【００５１】
リモコン６０は、この実施の形態では、第８図（ａ），（ｂ）に示すように、略長方形盤状のリモコン本体６１と、該リモコン本体６１の後端側に回動軸６２を介して回動可能に連結された駆動機構部６３とを有している。該回動軸６２は左右方向に延在しており、リモコン本体６１は、第５，６図のように駆動機構部６３の前端から前方へ略水平に延在した倒状姿勢と、第７図のように駆動機構部６３の前端から上方へ略直角に起立した起立姿勢とをとりうるように、該回動軸６２を可動中心として起倒回動可能となっている。
【００５２】
この実施の形態では、駆動機構部６３は、第８図（ａ），（ｂ）に示すように、ハウジング６４と、それぞれ該ハウジング６４内に設置された、１対のリモコン進退用ピニオン６５と、該リモコン進退用ピニオン６５を回転駆動するモータユニット６６と、リモコン回動用ピニオン６７と、該リモコン回動用ピニオン６７の回転をリモコン本体６１に伝達する伝達ピニオン６８ａ，６８ｂ等を備えている。
【００５３】
第８図（ａ），（ｂ）の通り、ハウジング６４は、左右方向の幅及び上下方向の厚みがリモコン本体６１と略同等の略長方形盤状のものである。このハウジング６４は、前端辺をリモコン本体６１の後端辺に突き合わせるようにして配置され、その左右両端側から前方へ突設されたアーム６４ａが前記回動軸６２を介してリモコン本体６１の後端部に回動可能に連結されている。
【００５４】
リモコン進退用ピニオン６５，６５は、第１０図のようにリモコン収納部５０内の各リモコン進退用ラック５３にそれぞれ噛合しうる位置関係にて、ハウジング６４の後端側に左右に位置を異ならせて配置されている。各リモコン進退用ピニオン６５の回転軸６５ａは左右方向に延在している。モータユニット６６は、この回転軸６５ａを介して各ピニオン６５を正転及び逆転駆動しうるよう構成されている。
【００５５】
リモコン回動用ピニオン６７は、ハウジング６４の前端側の左右方向の中間付近に配置されている。伝達ピニオン６８ａ，６８ｂは、それぞれ該リモコン回動用ピニオン６７とリモコン本体６１の後端部との間に、前後に位置を異ならせて配置されている。後側の伝達ピニオン６８ｂは、リモコン回動用ピニオン６７に噛合しており、この後側の伝達ピニオン６８ｂに前側の伝達ピニオン６８ａが噛合している。これらのピニオン６７，６８ａ，６８ｂの回転軸（符号略）は、それぞれ左右方向に延在している。
【００５６】
第１１〜１３図の通り、この実施の形態では、リモコン本体６１は、その倒状姿勢時の後端面から上面にかけて略四分円弧状に湾曲した湾曲面となっており、この湾曲面に沿って該後端面から上面までラック状の鋸歯状部６９が延設されている。この鋸歯状部６９に前側の伝達ピニオン６８ａが噛合している。
【００５７】
この実施の形態では、リモコン回動用ピニオン６７が第１２図の矢印Ｒ方向に回転したときに、各伝達ピニオン６８ａ，６８ｂ及び鋸歯状部６９を介してリモコン本体６１が起立方向へ回動され、リモコン回動用ピニオン６７がこれと反対方向に回転したときには、リモコン本体６１が倒状方向へ回動するように構成されている。
【００５８】
ハウジング６４は底面が開放しており、各リモコン進退用ピニオン６５及びリモコン回動用ピニオン６７は、第８図（ａ）のように、各々の下面側がこのハウジング６４の底面から下方へ張り出し、リモコン収納部５０内のラック５３，５４にそれぞれ噛合しうるようになっている。
【００５９】
リモコン本体６１の左右の側面及びハウジング６４の左右の側面には、それぞれ、リモコン収納部５０内の各凸条５２が係合可能な凹条７０，７１が設けられている。各凹条７０，７１は、それぞれ、リモコン本体６１及びハウジング６４の板面と略平行方向に延在しており、リモコン本体６１が倒状姿勢となったときには、第８図（ａ）の通り、これらの凹条７０，７１同士が略一直線状に連なるように構成されている。
【００６０】
第５図の通り、リモコン６０は、該リモコン本体６１及びハウジング６４の各々の板面を略水平とし、且つ該ハウジング６４即ち駆動機構部６３をリモコン収納部５０の奥側としてリモコン収納部５０内に収納されている。
【００６１】
第１０図の通り、このリモコン収納部５０内において、各凸条５２がそれぞれリモコン本体６１及びハウジング６４の左右の凹条７０，７１に摺動可能に係合しており、且つ各リモコン進退用ラック５３にそれぞれ駆動機構部６３の左右のリモコン進退用ピニオン６５が噛合している。
【００６２】
この実施の形態では、リモコン本体６１が所定以上リモコン収納部５０内に後退しているときには、第１０図のようにリモコン回動用ピニオン６７はリモコン回動用ラック５４に噛合しておらず、リモコン本体６１が前方へ所定距離移動したときに、第１１図のようにリモコン回動用ピニオン６７がリモコン回動用ラック５４に噛合するよう構成されている。
【００６３】
リモコン本体６１の倒状姿勢時の下面、即ち起立姿勢時の前面には、前述の第１〜４図のリモコン１０と同様に、液晶表示画面１２と、スイッチとして臀部洗浄スイッチ２１、臀部乾燥スイッチ２２、ストップスイッチ２３、洗浄位置調節スイッチ２４、洗浄強さ調節スイッチ２５、並びに温水又は温風の温度調節スイッチ２６が設けられている。リモコン本体６１の起立姿勢におけるこれらの液晶表示画面１２及び各スイッチ２１〜２６の配置も、第１〜４図のリモコン１０と同様である。ただし、スイッチの種類や配置はこれに限定されない。
【００６４】
また、図示は省略するが、この実施の形態でも、リモコン本体６１の倒状姿勢時の前端面、即ち起立姿勢時の上端面には、第１〜４図のリモコン１０と同様に、フラッシュスイッチ、便座スイッチ及び便蓋スイッチが設けられている。また、この実施の形態では、このリモコン本体６１の倒状姿勢時の前端面に、リモコン６０をリモコン収納部５０から突出させて使用状態とするためのリモコン突出スイッチが設けられている。このようにリモコン本体６１の倒状姿勢時の前端面に設けられたフラッシュスイッチ、便座スイッチ、便蓋スイッチ並びにリモコン突出スイッチは、リモコン本体６１がリモコン収納部５０内に収納された状態にあっても、棚４０の前端面の出入口５１に露呈しており、トイレ使用者が常にこれらのスイッチを操作しうるようになっている。
【００６５】
リモコン本体６１がリモコン収納部５０内に収納された第５図のリモコン待機状態においてリモコン突出スイッチが押されると、モータユニット６６が正転作動し、このモータユニット６６の駆動力により各リモコン進退用ピニオン６５が各リモコン進退用ラック５３上を出入口５１側へ転動する。これにより、リモコン本体６１が前進し、第６図のようにリモコン本体６１がリモコン収納部５０から前方へ略水平に突出する。
【００６６】
この実施の形態では、リモコン本体６１が所定距離前進すると、第１１図の通り、リモコン回動用ピニオン６７がリモコン回動用ラック５４に噛合するようになり、これ以降、リモコン本体６１の前進に伴って該リモコン回動用ピニオン６７が矢印Ｒ（第１２図）方向に回転しながらリモコン回動用ラック５４上を前方へ転動する。そして、このリモコン回動用ピニオン６７の矢印Ｒ方向への回転が各伝達ピニオン６８ａ，６８ｂ及び鋸歯状部６９を介してリモコン本体６１に伝達され、第１２，１３図のようにリモコン本体６１が起立回動する。これにより、第７図のようにリモコン本体６１が起立姿勢となり、液晶表示画面１２及び各スイッチ２１〜２６がトイレ使用者に向って露呈したリモコン使用状態となる。
【００６７】
第７図のリモコン使用状態においてリモコン突出スイッチが押されると、モータユニット６６が逆転作動し、リモコン本体６１がリモコン収納部５０内に後退する。
【００６８】
この際、リモコン本体６１の後退に伴い、リモコン回動用ピニオン６７は、矢印Ｒと反対方向へ回転しながらリモコン回動用ラック５４上を後方へ転動する。そして、このリモコン回動用ピニオン６７の矢印Ｒと反対方向への回転が各伝達ピニオン６８ａ，６８ｂ及び鋸歯状部６９を介してリモコン本体６１に伝達され、リモコン本体６１が倒状回動する。その後、該リモコン本体６１が第６図のように略水平に延在した倒状姿勢となると、リモコン回動用ピニオン６７がリモコン回動用ラック５４から外れて該リモコン本体６１の倒状回動が停止し、これ以降、リモコン本体６１は略水平にリモコン収納部５０内に後退して第５図のリモコン待機状態に復帰する。
【００６９】
なお、モータユニット６６へは商用電源から通電されてもよく、リモコン本体６１や棚４０等に電池をセットし、この電池からモータユニット６６へ通電されるように構成してもよい。
【００７０】
このように構成されたリモコン６０にあっては、リモコン６０の非使用時には、リモコン本体６１がリモコン収納部５０に収納されるため、トイレルーム内の美観が向上する。
【００７１】
また、上記のように、この実施の形態では、リモコン６０の使用時には、リモコン本体６１がリモコン収納部５０から前方へ略水平に突出した後、起立回動して使用状態をとるように構成されているので、リモコン本体６１がトイレ使用者に近づいて該リモコン本体６１の前面が使用者に向いた状態となるため、各スイッチ２１〜２６や液晶表示画面１２が視認し易くなると共に、スイッチ操作も楽になる。
【００７２】
この実施の形態では、リモコン６０のリモコン突出スイッチを操作してリモコン本体６１をリモコン収納部５０から突出及び後退させるように構成しているが、リモコン６０に人体検知センサを設け、トイレルーム内に人体が検知されると直ちに又は所定時間（例えば１〜５秒程度）経過してからリモコン本体６１をリモコン収納部５０から突出させ、人体が検知されなくなると、リモコン本体６１をリモコン収納部５０に後退させるようにしてもよい。
【００７３】
また、便座ボックスに設けられた人体検知センサの信号をリモコン６０に送信し、同様の制御を行ってもよい。
【００７４】
また、着座センサの信号をリモコン６０に送信し、着座が検知されるとリモコン本体６１をリモコン収納部５０から突出させ、着座が検知されなくなるとリモコン本体６１をリモコン収納部５０に後退させるようにしてもよい。
【００７５】
なお、リモコン本体６１がリモコン収納部５０に後退していても、前記フラッシュスイッチ、便座スイッチ、便蓋スイッチ、リモコン突出スイッチは、出入口５１に常に露呈しているので、リモコン本体６１が待機状態となっていてもフラッシュ操作、便座や便蓋の電動開閉及びリモコン本体６１の突出操作を行うことができる。
【００７６】
この実施の形態では、トイレルームの壁面Ｗに設置された棚４０にリモコン収納部５０を設けているが、リモコン収納部５０の配置はこれに限定されない。図示は省略するが、例えばトイレットペーパーホルダや、トイレルーム内に設置されたキャビネット又はカウンター等にリモコン収納部５０を設けてもよい。あるいは、トイレルームの壁面に直接、リモコン収納部５０を設けてもよい。
【００７７】
リモコン本体６１を進退及び起立回動させる駆動機構は、図示の構成に限定されない。
【図面の簡単な説明】
【００７８】
【図１】実施の形態に係るリモコンを備えたトイレルームの斜視図である。
【図２】リモコンの斜視図であり、（ａ）は待機状態を示し、（ｂ）は使用状態を示している。
【図３】カバーの駆動機構図である。
【図４】図３のIV−IV線断面図である。
【図５】別の実施の形態に係るリモコンが設置されたトイレルームの棚の縦断面図であり、リモコン待機状態を示している。
【図６】図５と同様部分の断面図であり、リモコンがリモコン収納部から前方へ水平に突出した状態を示している。
【図７】図５と同様部分の断面図であり、リモコン使用状態を示している。
【図８】（ａ）は図５のリモコンの側面図、（ｂ）はこのリモコンの下面図である。
【図９】（ａ）は棚のリモコン収納部付近の正面図、（ｂ）は（ａ）のＢ−Ｂ線断面図である。
【図１０】リモコンの前方突出途中時における、図９（ｂ）と同様部分の断面図である。
【図１１】図５のリモコンの起立回動機構の作動を示す断面図であり、リモコンの起立回動前を示している。
【図１２】図１１と同様部分の断面図であり、リモコンの起立回動途中時を示している。
【図１３】図１１と同様部分の断面図であり、リモコンの起立回動後を示している。
【符号の説明】
【００７９】
１  洋風便器
１０  リモコン
１１  ケーシング
１３  カバー
１４  スリット
２１〜２６  スイッチ
２７  フラッシュスイッチ
２８  便座スイッチ
２９  便蓋スイッチ
３０  カバー開閉スイッチ
４０  棚
５０  リモコン収納部
５１  出入口
５２  凸条
５３  リモコン進退用ラック
５４  リモコン回動用ラック
６０  リモコン
６１  リモコン本体
６２  回動軸
６３  駆動機構部
６４  ハウジング
６５  リモコン進退用ピニオン
６６  モータユニット
６７  リモコン回動用ピニオン
６８ａ，６８ｂ  伝達ピニオン
６９  鋸歯状部
【図１】
2009174253.tif 000003
【図２】
2009174253.tif 000004
【図３】
2009174253.tif 000005
【図４】
2009174253.tif 000006
【図５】
2009174253.tif 000007
【図６】
2009174253.tif 000008
【図７】
2009174253.tif 000009
【図８】
2009174253.tif 000010
【図９】
2009174253.tif 000011
【図１０】
2009174253.tif 000012
【図１１】
2009174253.tif 000013
【図１２】
2009174253.tif 000014
【図１３】
2009174253.tif 000015